(57)【特許請求の範囲】
【請求項１】
体液の吸収が可能な吸収体を内包し、陰唇間に挟み込むことが可能な大きさの実質的に縦長の陰唇間パッドと、該陰唇間パッドの反身体側面に取り付けられたミニシート片とを備え、
前記ミニシート片と前記陰唇間パッドの反身体側面との間には、指挿入用口及びそれに続く指挿入用空間が形成されており、
前記ミニシート片は、前記陰唇間パッドの短手方向の長さ寸法よりも長い寸法を有すると共に、該陰唇間パッドの短手方向を横断して該陰唇間パッドの長手方向に沿う両側縁からはみ出した一対のはみ出し部分を有しており、
前記一対のはみ出し部分は、大陰唇に被さる一対のフラップ部を構成しており、
前記一対のフラップ部には、着用者の肌に当接する肌当接面に粘着部が設けられていることを特徴とするフラップ部付き陰唇間パッド。
【請求項２】
前記一対のフラップ部は、前記陰唇間パッドの両側縁の一部に又はほぼ全域にわたって設けられていることを特徴とする請求の範囲第１項記載のフラップ部付き陰唇間パッド。
【請求項３】
前記一対のフラップ部は、前記陰唇間パッドの両側縁に複数ずつ設けられていることを特徴とする請求の範囲第１項又は第２項記載のフラップ部付き陰唇間パッド。
【請求項４】
前記一対のフラップ部は、前記陰唇間パッドの長手方向における一方端部に偏倚して設けられていることを特徴とする請求の範囲第１項から第３項のいずれか記載のフラップ部付き陰唇間パッド。
【請求項５】
前記一対のフラップ部は、少なくともその一部において伸縮性を有するものであることを特徴とする請求の範囲第１項から第４項のいずれか記載のフラップ部付き陰唇間パッド。
【請求項６】
前記ミニシート片は、透水性シート又は不透水性シート又は透水性シートと不透水性シートとを貼り合わせたものから成ることを特徴とする請求の範囲第１項から第５項のいずれか記載のフラップ部付き陰唇間パッド。
【請求項７】
前記一対のフラップ部に設けられている粘着部は、その剥離強度が０．３〜２．０Ｎの範囲、せん断強度が０．５〜１５．０Ｎの範囲であることを特徴とする請求の範囲第１項から第６項のいずれか記載のフラップ部付き陰唇間パッド。
【請求項８】
前記陰唇間パッドは、その身体側面に長手方向に延在する長凸状領域を有するものであることを特徴とする請求の範囲第１項から第７項のいずれか記載のフラップ部付き陰唇間パッド。
【請求項９】
前記陰唇間パッドは、生理用ナプキンと併用される生理用ナプキン併用用のものであることを特徴とする請求の範囲第１項から第８項のいずれか記載のフラップ部付き陰唇間パッド。
【請求項１０】
前記陰唇間パッドは尿失禁用の陰唇間パッドであることを特徴とする請求の範囲第１項から第９項のいずれか記載の陰唇間パッド。
【請求項１１】
前記陰唇間パッドはおりもの吸収用の陰唇間パッドであることを特徴とする請求の範囲第１項から第９項のいずれか記載の陰唇間パッド。
【請求項１２】
請求の範囲第１項から第１１項のいずれか記載のフラップ部付き陰唇間パッドと、このフラップ部付き陰唇間パッドを内包する包装容器と、から成る包装体であって、
前記陰唇間パッドが具備する前記フラップ部が、前記包装容器の内面に剥離自在な状態で仮止めされていることを特徴とする包装体。
【請求項１３】
請求の範囲第１項から第１１項のいずれか記載のフラップ部付き陰唇間パッドと、このフラップ部付き陰唇間パッドを内包する包装容器と、から成る包装体であって、
前記陰唇間パッドが具備する前記フラップ部が、前記包装容器の内面に剥離自在な状態で仮止めされており、
前記陰唇間パッドは、前記包装容器を開封したときに前記指挿入用口が開くように折り畳まれて収容されていることを特徴とする包装体。
【請求項１４】
請求の範囲第１２項又は第１３項記載の包装体において、
前記包装容器は、一連の包装用シートがその一部において重畳される重畳部が形成されるように巻かれたものから成り、
前記フラップ部が仮止めされているのは、前記重畳部を形成するための両側辺を有する面の内側の部分であることを特徴とする包装体。
【発明の詳細な説明】
【０００１】
発明の背景
技術分野
本発明は、女性の陰唇に係合させる陰唇間パッドに関する。
【０００２】
関連技術
従来より、経血等の体液を吸収するための女性用衛生用品としては、生理用ナプキン等のシート状の吸収性物品が一般的に用いられている。ここで、生理用ナプキンについては、膣口付近への密着性の乏しさゆえに生じる隙間からの経血のモレを防ぐべく、多大な努力が払われている。
【０００３】
しかしながら、生理用ナプキンとは、衣服に固定して用いるものであるため、元来膣口付近への密着性は乏しく、また、着用者の活動に伴って生理用ナプキンを固定した下着と内股とでズレを生じ、不要な隙間を生じることもある。
このような状況下、生理用ナプキンより小型の衛生用品として、近年、陰唇間パッドなる衛生用品が注目されるようになってきている。
【０００４】
この陰唇間パッドは、女性の陰唇間にその一部分を挟み込ませ、陰唇内面に当接させて装着するというものであり、生理用ナプキンに比して身体との密着性が高いために経血のモレが防止されると共に、経血が拡散して身体に広く接することを防ぐために衛生的かつ清潔なものである。また、生理用ナプキンよりも小型であるために、装着感に優れて快適であるという利点もある。
【０００５】
ここで、陰唇間パッドとは、陰唇間に嵌合させ、その後は陰唇自体の挟持力で陰唇内に保持されるものであるところ、多量の経血を吸収した場合には自重によって装着位置がずれてしまい、極端な場合には陰唇内から離脱してしまうおそれもある。かかる場合には、身体との高い密着性という機能が十分に発揮されないのみならず、経血のモレが生じることとなる。
【０００６】
本発明は、以上のような課題に鑑みてなされたものであり、その目的は、経血等の体液の排泄量の多少にかかわらず、陰唇内における保持状態を維持することが可能な陰唇間パッドを提供することにある。
【０００７】
発明の開示
上記のような課題を解決するために、本発明に係る陰唇間パッドは、陰唇間に嵌合されたときにその両側縁において少なくとも大陰唇を覆うことができるフラップ部を設け、このフラップ部を着用者の肌側に固定できるようにしたことを特徴とする。
【０００８】
より具体的には、本発明は、以下のようなものを提供する。
【０００９】
（１）  体液の吸収が可能な吸収体を内包し、陰唇間に無理なく挟み込むことが可能な大きさの陰唇間パッドであって、当該陰唇間パッドは、その両側に位置する一対の両側縁に大陰唇に被さる一対のフラップ部を備え、前記一対のフラップ部には、着用者の肌に当接する肌当接面に粘着部が設けられていることを特徴とするフラップ部付き陰唇間パッド。
【００１０】
本発明に係る陰唇間パッドによれば、その両側縁においてフラップ部を有している。このため、着用者が陰唇内に陰唇間パッドを嵌合させた際に、フラップ部が陰唇の内部ではなく、その外部に露出することとなる。そして、かかるフラップ部には肌への粘着が可能な粘着部が設けられていることから、当該フラップ部を陰唇間パッドの両側に位置する大陰唇の表面に被せるようにして配置し、これを大陰唇の外壁、若しくは、大陰唇の外壁を越えた肌面に貼設して固定することができる。これにより、陰唇内における陰唇間パッドの保持状態が強化され、高い湿潤状態であっても陰唇間パッドが陰唇内でずれたりすることなく、装着当初の位置に保持されることとなる。
【００１１】
この点、特表平６−５０６３６８号公報において、陰唇内面と接触する側に接着剤が塗布された陰唇内装着用の尿失禁防止パッドが開示されている。かかる尿失禁防止パッドによれば、尿等の体液が吸収された場合でも、塗布された接着剤により陰唇内に留まることが可能であるようにも考えられる。
【００１２】
しかしながら、比較的多量の体液が排泄された場合には、接着剤と陰唇内面とが接触する面に体液が進入してしまうおそれが高く、かかる場合には接着剤の付着力が低下して尿失禁パッドと陰唇との密着性が低くなってしまう。特に、腹圧性失禁など尿が尿管より一気に噴出されるような場合には、尿の噴出時の勢いで尿失禁パッドが陰唇内から離脱してしまうおそれもある。
【００１３】
そしてまた、接着剤が体液と接触した際に生じる溶出成分により着用者の陰唇粘膜に化学的刺激を与える場合も考えられ、かかる場合には一部の着用者がアレルギーを起こす危険性もある。
【００１４】
これに対し、本発明に係るフラップ部付き陰唇間パッドは、陰唇間パッドを固定するための粘着剤が塗布されることにより形成される粘着部が、陰唇内面ではなくフラップ部を介して陰唇の外側に設けられている。このため、体液と粘着剤が接触することがなく、粘着強度を維持しながら着用者への安全性をも確保することができるのである。
【００１５】
粘着剤は、着用中に離脱せず、取り外すときに着用者に過度な痛みを与えないように塗布されるのであれば、粘着部における配置態様は特に限定されるものではなく、綿状、ドット状、網目状、筋状等、様々な態様を採用できる。
【００１６】
また、粘着剤の塗布面積は、各々のフラップ部において少なくとも５ｍｍ２以上、より好ましくは１０〜２００ｍｍ２、更に好ましくは２５〜８０ｍｍ２の範囲で設けるのがよい。なお、このような範囲で粘着剤を塗布する場合には、後述の（１１）に示す粘着力を有する粘着剤を用いるのが好ましい。
【００１７】
（２）  前記一対のフラップ部は、前記陰唇間パッドの両側縁の一部に又はほぼ全域にわたって設けられていることを特徴とする（１）記載のフラップ部付き陰唇間パッド。
【００１８】
本発明に係るフラップ部付き陰唇間パッドによれば、陰唇間パッドの両側縁にそれぞれ設けられた一対のフラップ部が、両側縁に対して狭い領域かほぼ同等の領域において設けられている。
【００１９】
ここで、一対のフラップ部が狭い領域に設けられる場合には、操作性が良く、一方、ほぼ全域に設けられる場合には、大陰唇全体を覆うようにしてフラップ部が被せられることとなるため、陰唇に対する陰唇間パッドの保持力が一層強化されることとなる。このように、フラップ部の大きさによって、その機能を異ならしめることができるのである。
【００２０】
フラップ部が陰唇間パッドの両側縁のほぼ全域に設けられる場合には、粘着部は、フラップ部全体の長さに対して５０〜８０％の長さとし、その配置は前後に余白を設けるようするのが好ましい。このようにすることにより、着用者がフラップ部付き陰唇間パッドを取り替える際に、着用者の肌に粘着されたフラップ部を、フラップ部を掴んで容易に肌から剥がし取ることが可能となり、フラップ部付き陰唇間パッドの取り外し性が好適なものとなる。
【００２１】
（３）  前記一対のフラップ部は、前記陰唇間パッドの両側縁に複数ずつ設けられていることを特徴とする、（１）又は（２）記載のフラップ部付き陰唇間パッド。
【００２２】
本発明に係るフラップ部付き陰唇間パッドによれば、フラップ部が各側縁に対して複数ずつ設けられている。例えば、陰唇間パッドの前方寄り及び後方寄りの２箇所に２対ずつ設けるようにすることも可能である（第１６図の（Ｂ）参照）。
【００２３】
このように、フラップ部を複数設けた場合には、単に陰唇に対する陰唇間パッドの保持性を強化できるのみならず、フラップ部にかかる負荷を分散させて着用中の様々な動作に対応可能とすることができるため、陰唇間パッドがより一層陰唇内から外れにくくなるという効果も有することとなる。
【００２４】
なお、本発明において陰唇間パッドの「前方」とは、装着時において陰核近傍に位置する領域をいい、「後方」とは、装着時において会陰近傍に位置する領域をいう。
【００２５】
（４）  前記一対のフラップ部は、前記陰唇間パッドの長手方向における一方端部に偏倚して設けられていることを特徴とする（１）から（３）いずれか記載のフラップ部付き陰唇間パッド。
【００２６】
本発明に係るフラップ部付き陰唇間パッドによれば、フラップ部は陰唇間パッドの中央ではなく、前方寄りか後方寄りに偏倚して設けられている。
【００２７】
ここで、陰唇の発育形態は、一般に前方発育型が６０％、均等発育型が２０％、後方発育型が２０％というように分布するといわれている。このうち、例えば前方発育型の陰唇形態を有する着用は、陰唇間パッドを陰唇の前方付近で保持してしまいやすい。
【００２８】
このため、排泄口にあたる膣口付近においては陰唇間パッドの保持力が弱くなり、モレ防止を図るのに十分な密着性が得られない場合がある。このようなことを防止するため、前方発育型の陰唇形態を有する着用者に対しては、フラップ部は陰唇間パッド本体の後方寄りに偏移して配置するのが有効である。
このように、本発明によれば、フラップ部の位置を変化することにより、陰唇の発育形態の個人差に対応可能となっているのである。
【００２９】
（５）  前記フラップ部は、少なくともその一部において伸縮性を有するものであることを特徴とする（１）から（４）いずれか記載のフラップ部付き陰唇間パッド。
【００３０】
本発明に係るフラップ部付き陰唇間パッドによれば、フラップ部が伸縮性を有している。このため、陰唇間パッドが多量の体液を吸収して自重が高まり、陰唇自体の挟持力を超えてしまった場合でも、陰唇間パッドの自重に抗して伸縮性の張力が働くため、陰唇間パッドの密着性が維持される。
【００３１】
本発明において、「少なくとも一部」とは、フラップ部全体において伸縮性を有する場合のほか、フラップ部の一部分においてのみ伸縮性を有する場合をも含む意である。
この「一部分において伸縮性を有する場合」とは、例えば、陰唇間パッドの側縁とフラップ部に設けられた粘着部との間において、内面側に伸縮性を有する場合などが挙げられる。このような範囲において伸縮性を有するようにすることにより、着用中の様々な動作に応じてフラップ部が自在に追従することができる。このため、陰唇間パッドが陰唇内の定位置にとどまることができるようになる上、粘着部において肌に貼設されている部分の肌への過度な引きつりがなくなり、良好な着用感が得ることができる。
【００３２】
伸縮性は、長手方向及び短手方向の双方に伸縮性を有しているもののほか、短手方向に伸縮性を有するものも使用することができる。この場合にも陰唇間パッドへの当接力を与えることができるからである。
なお、本発明においてフラップ部に使用できる材料としては、元来伸縮性を有する材料と、非伸縮性の材料に伸縮性を付与した材料を使用することができる。
【００３３】
（６）  前記陰唇間パッドは、身体側面に透水性の表面側シートと反身体側面に不透水性の裏面側シートとを配置して成るものであって、前記フラップ部は、前記透水性の表面側シートが延出した部分、若しくは、前記不透水性の裏面側シートが延出した部分、若しくは、前記透水性の表面側シートと前記不透水性の裏面側シートとが同寸法ずつ延出した部分、のいずれかにより形成されていることを特徴とする（１）から（５）いずれか記載のフラップ部付き陰唇闇パッド。
【００３４】
本発明に係るフラップ部付き陰唇間パッドによれば、陰唇間パッド本体の構成材料を一部延出させることによりフラップ部が形成されている。
この場合において、陰唇間パッドの身体側に位置する透水性の表面側シートが延出している部分においてフラップ部が形成されている場合には、陰唇間パッドの側縁付近から体液が漏れ出してしまったときでも、肌がその体液によって汚れてしまうことを最小限に抑えることができる。また、陰唇間パッドの反身体側に位置する不透水性の裏面側シートが延出した部分においてフラップ部が形成されている場合には、陰唇間パッドの側縁付近から体液が漏れ出してしまったときでも、下着へ体液が付着することを未然に防止することができる。そして、表面側シートと裏面側シートとの両方が延出してフラップ部を形成している場合には、上記両機能を兼ね備えることができるのである。
【００３５】
（７）  前記陰唇間パッドの反身体側面には、指幅の開口が確保されている指挿入用口及びそれに続く指挿入用空間を形成するミニシート片が取り付けられていることを特徴とする（１）から（６）いずれか記載のフラップ部付き陰唇間パッド。
【００３６】
本発明に係るフラップ部付き陰唇間パッドによれば、陰唇間パッドの反身体側面に指幅の開口の指挿入用口が形成されるようにミニシート片が取り付けられている。具体的には、陰唇間パッドの反身体側面の短手方向において、ミニシート片の両袖部のうち少なくとも一方の袖部を反身体側面に対して接合しないことにより、非接合状態にあるミニシート片の一方袖部と陰唇間パッドの反身体側面との間に袖口が形成される。そして、かかる袖口が指の挿入が可能な指挿入用口となる（第１０図参照）。
【００３７】
また、陰唇間パッドの反身体側面の長手方向においては、ミニシート片は反身体側面の一側部から他側部にまたがった状態で取り付けられているため、反身体側面の左右側部より内側については接合（貼着）されていない。このため、かかる一側部から他側部にまたがった部分において、指を挿入して保持できる空間（指挿入用空間）が形成される。これにより、上記指挿入用口から当該指挿入用空間へと陰唇間パッドの反身体側面に指の腹が接するようにして指を挿入することができるのである。
【００３８】
ここで、陰唇間パッドとは、目視困難な陰唇間に装着するものであり、それが故に着用者が即座に的確な装着ポイントを把握しきれず、装着操作を繰り返さなければならない場合がある。しかも、結果として適切な位置に陰唇間パッドが装着されなかった場合には、当然ながら陰唇との密着性が得られないため、経血モレを誘発してしまう原因となりやすく、更には、生理用ナプキンより小型であるがために、経血のモレによる被害が甚大となってしまうおそれがある。
【００３９】
この点、ＷＯ９９／５６６８９号公報において、陰唇間パッドの反身体側に突起部を有するものが開示されている。この構造によれば、着用者は当該突起部を指で摘んで装着を行なうことができるので、当該突起部がない場合よりは装着が容易であると考えられる（第２７図参照）。
【００４０】
しかし、かかる構造では、装着ポイントの探知が着用者の爪の先で行われることになるため、実際には、着用者の勘に頼って装着せざるを得ない。また、突起部を摘んだだけでは陰唇感パッドを陰部に十分に密着させるように押しあてることも困難である。
【００４１】
これに対し、本発明のフラップ部付き陰唇間パッドは、陰唇間パッドに設けられた指挿入用口に指を挿入して指先に陰唇間パッドを一時的に保持することが可能であるため、目視困難な陰唇間という場所への装着であっても、指の感触によって正確な装着ポイントを的確に把握しながら、陰唇間パッドを適切な位置に装着することが可能なのである。
【００４２】
（８）  前記陰唇間パッドの反身体側面には、前記陰唇間パッドの短手方向の長さ寸法よりも長い寸法のミニシート片が当該陰唇間パッドの短手方向を横断するように取り付けられており、前記一対のフラップ部は、前記ミニシート片が前記陰唇間パッドの長手方向における両側縁からはみ出したはみ出し部分により形成されていることを特徴とする（１）から（５）いずれか記載のフラップ部付き陰唇間パッド。
【００４３】
本発明に係るフラップ部付き陰唇間パッドによれば、単にミニシート片を取り付けるという構成によってフラップ部が形成されている。このため、フラップ部を有さない既存の陰唇間パッドの製造工程にミニシート片を取り付けるという工程を加えるだけで、陰唇間への保持力を高めた陰唇間パッドとすることができる。
【００４４】
（９）  前記ミニシート片は、前記陰唇間パッドの反身体側面との間において、指幅の開口が確保されている指挿入用口及びそれに続く指挿入用空間を形成するものであることを特徴とする（８）記載のフラップ部付き陰唇間パッド。
【００４５】
本発明に係るフラップ部付き陰唇間パッドによれば、反身体側面に取り付けられたミニシート片が、フラップ部と指挿入部という二つの機能を兼ね備えている。このため、それぞれを別途に取り付けることなく、簡易な構成で高い機能を有する陰唇間パッドとすることができる。
この場合において、ミニシート片と陰唇間パッドとの接合部は、指幅の指挿入用口を確保できるように、陰唇間パッドの両側縁近傍に設けられることとなる。
【００４６】
（１０）  前記ミニシート片は、透水性シート又は不透水性シート又は透水性シートと不透水性シートとを貼り合わせたものからなることを特徴とする（７）から（９）いずれか記載のフラップ部付き陰唇間パッド。
【００４７】
本発明に係るフラップ部付き陰唇間パッドによれば、取り付けられたミニシート片が透水性シート又は不透水性シート又はこれらを貼り合わせたものから成っている。
ここで、ミニシート片が指挿入用口を形成する場合には、陰唇間パッド装着後、指挿入用口から指が引き抜かれた後のミニシート片は、身体側とは反対方向に弛んでいる。このため、使用済み陰唇間パッドを取り外すに際し、着用者はこのミニシート片を引っ張ることができることとなるが、当該ミニシート片を不透水性素材で構成する場合、あるいはこれを含む構成とする場合には、着用者がミニシート片を掴んだ場合でも、指が汚染されることがないため清潔である。
【００４８】
（１１）  前記フラップ部に設けられている粘着部は、その剥離強度が０．３〜２．０Ｎの範囲、せん断強度が０．５〜１５．０Ｎの範囲であることを特徴とする（１）から（１０）いずれか記載のフラップ部付き陰唇間パッド。
【００４９】
本発明に係るフラップ部付き陰唇間パッドによれば、一対のフラップ部に設けられた各粘着部全体の粘着強度が、着用中において陰唇間パッドの装着位置ズレが生じない粘着力を有しながらも、フラップ部を剥がす際に着用者の肌に負担や過度な痛みを与えることのないものとなっている。具体的には、当該粘着剤をポリエステルフィルム上に乗せてステンレス板上で荷重３０ｇ／ｃｍ２のローラーにより圧着し、引張速度１００ｍｍ／ｍｉｎ、剥離強度１８０度で測定した剥離強度が０．３〜２．０Ｎの範囲であり、また、当該粘着剤をポリエステルフィルム上に乗せてステンレス板上で荷重３０ｇ／ｃｍ２のローラーにより圧着し、速度１００ｍｍ／ｍｉｎで水平に引張して測定したせん断強度が０．５〜１５．０Ｎの範囲の粘着力となっている。このため、着用者は、着用時には位置ズレの不安感がなく、また取り外し時には不快感や痛みを感じることなく、高度な機能を有する陰唇間パッドを利用することができるのである。
【００５０】
（１２）  前記陰唇間パッドは、その身体側面に長手方向に延在する長凸状領域を有するものであることを特徴とする（１）から（１１）いずれか記載のフラップ部付き陰唇間パッド。
【００５１】
本発明に係るフラップ部付き陰唇間パッドによれば、陰唇間パッドの身体側面の長手方向において、長凸状領域が身体側に向かって設けられている。このため、着用者がフラップ部付き陰唇間パッドを装着したときに、かかる長凸状領域が陰唇内の奥深くにある小陰唇の内部の膣口付近にまで入り込むこととなり、陰唇間パッドと陰唇との間に生じる隙間の発生を著しく低減させることができる。
【００５２】
ここで、上記長凸状領域を陰唇間パッドを折り曲げることにより形成した場合には（第１１図参照）、装着時の着圧によって、長凸状領域が着用者の陰唇形状に応じて容易に変形可能に形成されることができる。このため、陰唇間パットの身体側面に単に既成の突出部を設けた場合のように、着用者の陰唇形状によっては当該突出部がフィットしないという事態が生じず、陰唇形状の個人差にかかわらず長凸状領域を陰唇内に密着させることができるのである。
【００５３】
なお、このように長凸状領域を陰唇間パッドを折り曲げて形成した場合において、反身体側面にミニシート片が取り付けられているときは、かかるミニシート片は、指挿入用口を形成するほか、陰唇間パッドの本体部における屈曲部分の広がりを規制して不必要な長凸状領域の変形を防止する、という機能も併せ持つこととなる。
【００５４】
（１３）  前記陰唇間パッドは、生理用ナプキンと併用される生理用ナプキン併用用のものであることを特徴とする（１）から（１２）いずれか記載のフラップ部付き陰唇間パッド。
【００５５】
本発明に係るフラップ部付き陰唇間パッドによれば、生理用ナプキンと併用して使用することができる。このため、陰唇間パッドがその許容量を超える体液を受け止めた場合であっても、体液が漏れ出て下着を汚してしまう事態を確実に防止することが可能となる。
【００５６】
また、膣口近傍のみにおいて両者が重ねられることとなるため、生理用ナプキンのみを重ねて使用する場合のように、ゴワゴワ感を生じて装着感を損ねてしまったり、衣服の外部から生理用ナプキンの存在を察知しやすくしてしまったり、更には、膣口近傍以外の不要な部分にまで生理用ナプキンが重ねられてしまうためにかぶれやムレの原因となってしまったり、という事態を回避することができる。加えて、生理用ナプキンを交換することなくフラップ部付き陰唇間パッドのみを交換することができるため、着用者は人目につき易い大きさの生理用ナプキンを持ち歩かずに済む、という効果も有することとなる。
【００５７】
（１４）  前記陰唇間パッドは尿失禁用の陰唇間パッドであることを特徴とする（１）から（１３）いずれか記載の陰唇間パッド。
【００５８】
本発明に係る陰唇間パッドによれば、尿失禁用の吸収パッドとして使用することができる。即ち、経血を排出する膣口と尿を排出する尿道口とはいずれも陰唇間に位置するものであるため、本発明に係る陰唇間パッドを陰唇間に挟み込んで使用した場合には、尿を吸収することができる。
このように、本発明によれば、尿を陰唇間、特に尿道口付近で吸収できるので、尿失禁特に軽度の尿失禁に対して有効な吸収パッドを得ることができる。
【００５９】
（１５）  前記陰唇間パッドはおりもの吸収用の陰唇間パッドであることを特徴とする（１）から（１３）いずれか記載の陰唇間パッド。
【００６０】
本発明に係る陰唇間パッドによれば、陰唇間パッドをおりもの吸収用として使用することができる。即ち、本発明に係る陰唇間パッドは陰唇間に挟み込んで使用するものであることから、膣口からの経血以外の分泌物（おりもの）も吸収することができるので、そのための用途（おりもの吸収用）にも使用することができるのである。
このように、本発明によれば、おりものを吸収して着用者の不快感を軽減することができるため、生理時以外の着用者にとっても有効である。
【００６１】
（１６）  （１）から（１５）いずれか記載のフラップ部付き陰唇間パッドと、この陰唇間パッドを内包する包装容器と、から成る包装体であって、前記陰唇間パッドが具備する前記フラップ部が、前記包装容器の内面に剥離自在な状態で仮止めされていることを特徴とする包装体。
【００６２】
本発明に係る包装体によれば、陰唇間パッドが具備するフラップ部が包装容器の内面に直接仮止めされている。即ち、陰唇間パッドのフラップ部を仮止め固定する箇所が、包装容器の一部となるように包装容器が形成されているのである。
【００６３】
具体的には、前記包装容器の内側において、その内側全て、若しくは、フラップ部を仮止めする箇所のみ、に、シリコーンやフッ素樹脂等で剥離処理がなされていること、あるいは、フラップ部を仮止めする箇所に、紙やフィルムにシリコーンやフッ素樹脂等で剥離処理を施した剥離シートを取り付けること、により、フラップ部を包装容器内において仮止め可能な状態することを実現しているのである。なお、剥離シートを取り付ける場合には、当該剥離シートは非剥離面を包装容器に粘着剤を介して接合することとなる。
【００６４】
このように、本発明によれば、剥離機能を有する部分が包装容器と一体となっている。このため、別途剥離紙をフラップ部に取り付けた場合のように、包装容器の開封とは別にフラップ部から剥離紙を剥がす操作が不要となり、スムーズに陰唇間パッドを取り出すことができる。しかも、装着操作中に廃棄ゴミを処理する手間が無くなるため、より一層かかる作業が容易となるのである。更に、これにより対となっているフラップ部に塗布された粘着剤が相互に接着することが防止されるため、取り出し操作及び装着操作を容易なものとしているのである。
【００６５】
（１７）  （７）又は（９）記載のフラップ部付き陰唇間パッドと、この陰唇間パッドを内包する包装容器と、から成る包装体であって、前記陰唇間パッドが具備する前記フラップ部が、前記包装容器の内面に剥離自在な状態で仮止めされており、前記陰唇間パッドは、前記包装容器を開封したときに前記指挿入用口が開くように折り畳まれて収容されていることを特徴とする包装体。
【００６６】
本発明に係る包装体によれば、フラップ部付き陰唇間パッドは、包装容器内に陰唇間パッドに設けられた指挿入用口が開くようにして折り畳まれて収容されている。このため、着用者は、包装容器を開封後すぐに指挿入用口に指を挿入してフラップ部付き陰唇間パッドを指先に保持することができる。
【００６７】
この点、ナプキン等のシート状の衛生用品においては、包装体のコンパクト化のために内容物が折り畳まれて内包されているのが一般的であるが、本発明においては、かかるコンパクト化に加え、陰唇間パッド個別包装用包装容器を開封したときに、折り畳まれていた陰唇間パッドを開くこととなり、これによりミニシート片と陰唇間パッドの裏面側シートとの間に隙間ができて指挿入用口が自然に形成されるという効果も発揮されるのである。
このような折り畳み方としては、例えば、前記陰唇間パッドがミニシート片を備える面を内側にして陰唇間パッドの長手方向の略中心線に沿って折り畳む方法などが挙げられる。
【００６８】
（１８）  （１６）又は（１７）記載の包装体において、前記包装容器は、一連の包装用シートがその一部において重畳される重畳部が形成されるように巻かれたものであり、前記フラップ部が仮止めされているのは、前記重畳部を形成するための両側辺を有する面の内側の部分であることを特徴とする包装体。
【００６９】
本発明に係る包装体によれば、陰唇間パッドが具備するフラップ部が包装用シートと一体となって折り畳まれている。このため、陰唇間パッドがフラップ部を有することによりその面積が増大されているにもかかわらず、コンパクトに包装容器内に収納することができる。これにより、着用者は、フラップ部のない陰唇間パッドと同様の携帯性を維持したまま、機能性に富んだ陰唇間パッドを利用することができるのである。
【００７０】
発明を実施するための最良の形態
次に、本発明のフラップ部付き陰唇間パッドについて、図を参照しつつ説明する。
【００７１】
［第１実施形態］
＜フラップ部付き陰唇間パッドの構造＞
第１図は、第１実施形態のフラップ部付き陰唇間パッド１の身体側を示す概略斜視図であり、第２図は、フラップ部付き陰唇間パッド１の反身体側を示す図であり、第３図は、第１図のＡ−Ａ視断面図であり、第４図は、フラップ部付き陰唇間パッド１の他の形態を示す図である。
【００７２】
第１図に示すように、陰唇間パッド２は横寸法と縦寸法を有する実質的に縦長の形態を成している。そして、第２図に示すとおり、陰唇間パッド２の反身体側面２ｂにおいて、陰唇間パッド２の横幅よりも長い寸法のミニシート片３が、陰唇間パッド２の両側縁からその一部がはみ出すようにして、熱シールや接着剤によって取り付けられている。このはみ出した部分がフラップ部４Ａ及び４Ｂとなり、このフラップ部４Ａ及び４Ｂの身体側面において粘着剤６Ａ、６Ｂがそれぞれ塗布されている。
【００７３】
第３図に示すように、本実施形態のフラップ部付き陰唇間パッド１は、透水性の表面側シート１１と不透水性の裏面側シート１２との間に吸収体１３を内包し、この吸収体１３の周辺部において表面側シート１１と裏面側シート１２とを互いに接合して成る陰唇間パッド２と、この陰唇間パッド２の反身体側面２ｂに取り付けられたミニシート片３と、により構成されている。
【００７４】
なお。この実施形態においては、ミニシート片３の形状は長方形状となっているが、例えば、第４図の（Ａ）に示すように、側部を丸くカットして長楕円形状とすることもできる。このようにフラップの側部を丸い形状とすることにより、フラップ部の側部が肌に突き当たるような感触を着用者に与えることを低減することができる。
【００７５】
また、この実施形態においては、ミニシート片３は陰唇間パッド２の中央部分に取り付けられているが、第４図の（Ｂ）に示すように、ミニシート片３を陰唇間パッド２に取り付けることもできる。このような位置にミニシート片３を取り付けた場合には、指挿入用口３Ａに挿入した指の先端が広く露出することを防ぐことができるため、陰唇間パッド１装着時に指先が経血に付着する事態を低減することが可能となる。
【００７６】
＜フラップ部付き陰唇間パッドの装着＞
次に、本実施形態のフラップ部付き陰唇間パッド１の装着手順について説明する。第５図は、包装容器を開封してフラップ部付き陰唇間パッド１を指先に取り付けるまでの手順を示す工程図であり、第６図は、指先に保持したフラップ部付き陰唇間パッド１を陰唇１０に装着する手順を示す工程図である。
【００７７】
第５図の（Ａ）に示すように、フラップ部付き陰唇間パッド１を内包するための包装容器を形成する包装用シート８には、その両側縁の重畳部８Ｃにおいて止着テープ９が貼られている。このため、着用者は、同図の（Ｂ）に示すように、かかる止着テープ９を摘んでＡ方向に引っ張るようにすることにより、同図の（Ｃ）に示すように、包装用シート８の一方の側部８Ａを外側に開くことができる。続いて、他方の側部８Ｂをも外側に開くことにより、同図の（Ｄ）に示すように、陰唇間パッド２に取り付けられたミニシート片３が露出される。このため、着用者はかかるミニシート片３と陰唇間パッド２の反身体側面２ｂとの間に形成される指挿入用口３Ａを視認することができ、同図の（Ｅ）に示すように、即座に利き手（通常は右手）の中指を指挿入用口３Ａに挿入することができる。そして、同図の（Ｆ）に示すように、左手で包装用シート８を掴み、右手をＢ方向へ引き上げることにより、フラップ部付き陰唇間パッド１を包装用シート８から取り外すことができる。この結果、同図の（Ｇ）に示すように、右手の中指の先に陰唇間パッド１が保持された状態のまま、フラップ部付き陰唇間パッド１を包装容器から取り出すことができるのである。
【００７８】
このようにして取り出したフラップ部付き陰唇間パッド１を陰唇に装着するにあたっては、まず、着用者の正面から見た状態を表す第６図の（Ａ）に示すように、陰唇間パッド２の身体側面２ａを陰唇１０に接触させる。次に、着用者の背面から見た状態を示す第６図の（Ｂ）に示すように、指挿入用口３Ａに挿入した中指を陰唇間パッド２を介して陰唇１０の間に配置し、更に、同図の（Ｃ）に示すように、陰唇１０の間を押し広げながらこの陰唇間パッド２を陰唇１０内に押し込むようにする。続いて、同図の（Ｄ）に示すように、人差し指でフラップ部４Ａを、薬指でフラップ部４Ｂをそれぞれ陰唇１０の形状に沿うように配置する。そして、このフラップ部４Ａ、４Ｂを粘着剤６Ａ、６Ｂで陰唇１０の表面に粘着し、中指を指挿入用口３Ａから引き抜く。これにより、同図の（Ｅ）に示す通り、陰唇１０の内側に陰唇間パッド２が嵌合されると共に、フラップ部４Ａ及び４Ｂが陰唇１０の外側に固定されることとなり、多量の体液が排泄された場合でも、陰唇間パッド２が位置ズレを起こすことが防止される。
【００７９】
＜フラップ部付き陰唇間パッドの包装方法＞
次に、フラップ部付き陰唇間パッド１を包装用シート８で包装して包装体８０を形成する手順について説明する。第７図は、フラップ部付き陰唇間パッド１を包装用シート８で被覆し、包装体８０とする過程について説明する工程図であり、第８図は、第７図の（Ｄ）のＢ−Ｂ視断面図である。
【００８０】
第７図の（Ａ）に示す通り、陰唇間パッド２の身体側面２ａが包装用シート８に接するようにしてフラップ部付き陰唇間パッド１を配置する。この場合において、フラップ部４Ａ及び４Ｂに塗布された粘着剤６Ａ及び６Ｂが位置する箇所には、剥離シート７Ａ及び７Ｂが取り付けられている。このため、包装用シート８に対してフラップ部４Ａ及び４Ｂが離脱自在に取り付けられることとなる。次に、同図の（Ｂ）に示すように、包装用シート８の一方の側部８Ｂを内側に折り、更に、同図の（Ｃ）に示すように、他方の側部８Ａも内側に折る。そして、同図の（Ｄ）に示すように、側部８Ａ、８Ｂにより形成される重畳部８Ｃと包装体８０の前後両端部をそれぞれ再剥離可能に封止し、封止状態を維持するように止着テープ９を貼る。これにより包装体８０が形成される。
【００８１】
第８図に示すように、フラップ部付き陰唇間パッド１は、包装用シート８の一方の側部８Ａと他方の側部８Ｂとが重なり合う重畳部８Ｃの真下に、ミニシート片３が位置するように配置されている。このため、着用者は、止着テープ９を引っ張ることにより重畳部８Ｃを開封するとすぐにミニシート片３を視認することができ、陰唇間パッド２とミニシート片３との間に形成される指挿入用口３Ａに指を挿入することができる。
【００８２】
［第２実施形態］
＜フラップ部付き陰唇間パッドの構造＞
次に、第２実施形態のフラップ部付き陰唇間パッドについて説明する。第９図は、第２実施形態のフラップ部付き陰唇間パッド２０の身体側面を示す図であり、第１０図は、フラップ部付き陰唇間パッド２０の反身体側面を示す図であり、第１１図は、フラップ部付き陰唇間パッド２０の斜視図であり、第１２図は、第９図のＣ−Ｃ視断面図である。
【００８３】
本実施形態のフラップ部付き陰唇間パッド２０は、第９図に示すように、陰唇間パッド２２とその両側部においてフラップ部２４Ａ及び２４Ｂを有すると共に、陰唇間パッド２２の身体側面２２ａ上において長凸状領域２１を備えている。また、第１０図に示すように、陰唇間パッド２２の反身体側面２２ｂにおいてミニシート片２３を有しており、このミニシート片２３と陰唇間パッド２２の反身体側面２２ｂとの間に指挿入用口２３Ａが形成されている。このため、第１１図に示すように、長凸状領域２１の内側に形成される隙間から指挿入用口２３Ａへ、スムーズに指を挿入することができる。
【００８４】
この実施形態のフラップ部付き陰唇間パッド２０は、第１２図に示すように、透水性の表面側シート２０１と不透水性の裏面側シート２０２との間に吸収体２０３を内包させ、吸収体２０３の周辺部において表面側シート２０１と裏面側シート２０２とを互いに接合させた貼り合せ構造の陰唇間パッド２２と、この陰唇間パッドの反身体側面２２ｂに取り付けられているフラップ部２４Ａ及び２４Ｂと、陰唇間パッド２２とフラップ部２４Ａ及び２４Ｂとが接合されている部分に取り付けられたミニシート片２３と、から構成されている。
【００８５】
陰唇間パッド２２は、身体側に凸となるように折り曲げられ、この折り曲げられた部分において長凸状領域２１を形成している。そして、この長凸状領域２１とミニシート片２３との間において指挿入用口２３Ａが形成されている。また、フラップ部２４Ａ及び２４Ｂの肌当接面には粘着剤２６Ａ及び２６Ｂがそれぞれ塗布されている。
【００８６】
＜フラップ部付き陰唇間パッドの装着＞
次に、この実施形態に係るフラップ部付き陰唇間パッド２０の装着状態について説明する。第１３図は、フラップ部付き陰唇１０に陰唇間パッド２０を装着する手順を示す工程図であり、第１４図は、フラップ部付き陰唇間パッド２０が陰唇１０に装着された状態を示す縦断面図である。
【００８７】
フラップ部付き陰唇間パッド２０を装着するには、第１３図の（Ａ）に示すように、まず、指挿入用口２３Ａに中指を挿入し、陰唇１０の間に長凸状領域２１を嵌装させる。次に、同図の（Ｂ）に示すように、人差し指でフラップ部２４Ａを、薬指でフラップ部２４Ｂを陰唇１０の表面に沿うように位置付け、粘着剤２６Ａ及び２６Ｂでそれぞれ貼り付ける。このようにすることにより、第１４図に示すように、吸収体２０３を内包する長凸状領域２１が、陰唇１０の奥深くまで嵌装された状態で陰唇間パッド２０が固定される。このため、膣口から排泄された経血を確実に長凸状領域２１で受け止めることができ、経血モレが生じることを防ぐことができる。
【００８８】
［フラップ部］
次に、本発明のフラップ部付き陰唇間パッドにおけるフラップ部について説明する。このフラップ部は、陰唇間パッドを陰唇間に嵌合させた際に、陰唇間の外部に露出し、次いで大陰唇を被覆するように配置できるものであれば、様々な構造、形状のものを使用できる。
【００８９】
例えば、上述の第１、第２実施形態に係るフラップ部付き陰唇間パッド１及び２０のように、陰唇間パッドとは別のシート片を陰唇間パッドの側縁に接合してフラップ部とするほか、例えば、第１５図の（Ａ）に示すように、陰唇間パッド３０の表面側シート３１が延出した部分、あるいは、同図の（Ｂ）に示されるように裏面側シート３２が延出した部分、あるいは、同図の（Ｃ）に示されるように表面側シート３１と裏面側シート３２とが同程度の面積を延出した部分でフラップ部３４を形成することもできる。
【００９０】
また、フラップ部は、第１６図の（Ａ）のように陰唇間パッド４２の中央域において左右対称に２つのフラップ部４４Ａ及び４４Ｂを設けるようにするほか、同図の（Ｂ）に示すように陰唇間パッド４２の一方側縁に４４Ａと４４Ｃ、他方側縁に４４Ｂと４４Ｄの合計４つのフラップ部を設けるというように、各側縁において複数ずつ設けるようにすることもできる。また、同図の（Ｃ）に示すように、フラップ部４４Ａと４４Ｂを各側縁の全域に設けるようにすることもできる。このようにフラップ部の形状を適宜変更することにより、陰唇に対する陰唇間パッドの固定力の強度を適宜変更することが可能である。なお、粘着剤４６は、各フラップ部においてそれぞれ塗布され、その塗布領域はフラップ部の大きさによって随時異なってくることとなる。
【００９１】
［陰唇間パッド］
次に、陰唇間パッドについて説明する。上述の第１実施形態に係る陰唇間パッド２や第２実施形態に係る陰唇間パッド２２は、吸収体を内包して表面側シートと裏面側シートとをその周縁で貼り合せる、貼り合わせ構造となっているが、これに限定されるものではなく、不透水性のシートを吸収体の下に配置した後に、透水性のカバーシートでこれらを包むように包囲し、吸収体が離脱しないように周りを接合して成る封入構造とすることもできる。
【００９２】
陰唇間パッドを組み立てるにあたっては、例えば表面側シートと吸収体、吸収体と裏面側シート、表面側シートと裏面側シートなどを互いに接合するために、水不溶性のスチレン−エチレン・ブタジエン−スチレンブロック共重合体（ＳＥＢＳ）、スチレン−ブタジエン−スチレンブロック共重合体（ＳＢＳ）、スチレン−イソプレン−スチレンブロック共重合体（ＳＩＳ）等の合成ゴムを主体とした感圧接着剤、エチレン−酢酸ビニル共重合体（ＥＶＡ）等の合成ゴムを主体とした感熱型接着剤、水溶性熱可塑性のポリビニルアルコール（ＰＶＡ）樹脂を主体とした接着剤あるいは澱粉糊、アクリル酸を主体として架橋剤と可塑剤又は水を含んで成る感水性ジェル、シリコーンを主体として架橋剤と可塑剤とを含んで成る不感水性ジェル等から任意に選択することができる。また、接着剤等の塗布形態は、面状、筋状、ドット状、螺旋状等のいずれの形態で塗布することもできる。
【００９３】
［陰唇間パッドの他の構造］
次に、陰唇間パッドの他の構造について説明する。第１７図は、吸収体５３の中央域を盛り上げた中高構造の陰唇間パッド５０を示す図であり、第１８図は、短手方向の長さ寸法が異なる２つのシートを重ね合わせて成る陰唇間パッド６０を示す図であり、第１９図は、メインシート体７０Ａとサブシート体７０Ｂとの二層からなる陰唇間パッド７０を示す図である。
【００９４】
第１７図に示される陰唇間パッド５０は、着用者の陰唇内と陰唇間パッド５０との密着性を高めるために、内包される吸収体５３が短手方向の中央において一部盛り上がるようになっている。このため、経血が外部へモレ出してしまう事態を低減させることができる。
【００９５】
第１８図に示される陰唇間パッド６０は、短手方向の長さ寸法が短い補助シート体６１を通常の陰唇間パッド６２の身体側面に重ねた後、これらを前後を互いに粘着剤若しくは熱シール、超音波シール等で接合し、あるいは、重ね合せ部を粘着剤で互いに接合し、あるいは双方を併用して接合したものである。このように、補助シート体６１を取り付けることにより、陰唇間パッド６２の体液吸収能が向上され、経血のモレ防止効果が高められている。
【００９６】
更に、第１９図に示される陰唇間パッド７０は、メインシート体７０Ａと、サブシート体７０Ｂとから成り、両者は長手方向の各側部において接合状態であって、その内側においては両者が離間していると共に、短手方向においては両袖部のうち少なくとも一方の袖部が非接合状態となっている。このため、着用者は、メインシート体７０Ａとサブシート体７０Ｂとの間における第１の指挿入用口７３Ａ、陰唇間パッド用ミニシート体７３とサブシート体７０Ｂとの間における第２の指挿入用口７３Ｂ、の２箇所に指を挿入することができる。このような構造とすることにより、着用者は自己の陰唇深さに応じていずれかの指挿入用口を選択することができる。
【００９７】
［生理用ナプキン併用用フラップ部付き陰唇間パッド］
次に、生理用ナプキン併用して使用するフラップ部付き陰唇間パッドについて説明する。第２０図は、生理用ナプキン併用用のフラップ部付き陰唇間パッド８１と生理用ナプキン８５との併用使用状態を示す図である。
【００９８】
第２０の（Ａ）に示すように、フラップ部付き陰唇間パッド８１は、通常の生理用ナプキン８５と併用して用いることもできる。このように生理用ナプキン８５と併用することにより、体液の排泄量が非常に多い日であっても、本発明のフラップ部付き陰唇間パッド８１をより効果的に用いることができる。なお、このようなフラップ部付き陰唇間パッド８１の装着手順は以下のようなものとなる。即ち、（１）包装容器を開封して、ミニシート片８３を露出させる。（２）指挿入用口８３Ａに陰唇間パッド８２の反身体側面８２ｂに指の腹が接するようにして指を挿入し、指先にフラップ部付き陰唇間パッド８１を保持する。（３）陰唇間パッド８２を陰列の向きに沿って指の押し圧により装着する。（４）フラップ部８４に塗布された粘着剤８６を肌に貼設する。（５）下着の股下域に生理用ナプキン８５を固定する。（６）下着を所定の位置にまで引き上げる。なお、生理用ナプキン８５の下着への固定は、陰唇間パッド８２の陰唇への装着前に行なうようにしてもよい。
【００９９】
生理用ナプキンの形態は、左右に少なくとも一対のウイングを有する形態のものであってもよく、またかかるウイングが無い形態であってもよい。なお、ウイングを有する場合には、第２０図の（Ｂ）に示すように、陰唇間パッド８１のフラップ部８４がその上側に位置する大陰唇（図示せず）に巻き付けられるのに対し、生理用ナプキン８５のウイング８８はその下側に位置する下着８９に巻き付けられることとなる。
【０１００】
生理用ナプキン８５に使用できる生理用ナプキンの大きさは、女性の外陰部を覆うことが可能な大きさであり、具体的には、１５０〜３８０ｍｍの長さ寸法とするのが好ましい。より具体的には、１５０〜２２５ｍｍ、２２５〜２７０ｍｍ、２７０〜３８０ｍｍの各範囲から、着用者が自己の経験に基づき、経血の排泄量や体型、行動（運動、就寝など）等に応じて適宜選択することとなる。また、厚さは、１〜４ｍｍの薄型タイプのもの、あるいは５ｍｍ以上の厚さを有するものも使用することができる。
【０１０１】
フラップ部付き陰唇間パッドと併用して使用することができる生理用ナプキンには、肌当接面に透水性シートを、肌非当接面に不透水性シートを配置し、この両シートの間に吸収体を備え、不透水性シートには下着に止着するための粘着剤が塗布されたものが用いられる。
【０１０２】
［フラップ部付き陰唇間パッドの外観寸法］
次に、陰唇間パッドの外観寸法について説明する。
陰唇間パッドの縦寸法と横寸法は、陰唇内に嵌合でき、かつ、陰唇自体の力で保持できる範囲であって、陰唇の塞鎖性を考慮した上で設けられる。具体的には、縦寸法は６０〜１５０ｍｍの範囲、好適には８０〜１２０ｍｍの範囲であり、また、陰唇間パッドの短手方向の見かけ上の長さ寸法は、１０〜６０ｍｍの範囲とすることが好ましく、より好ましくは２０〜４０ｍｍの範囲とするのがよい。短手方向の長さ寸法が６０ｍｍより長い場合には、陰唇間に介在されることのない領域が着用者の大腿部などにこすれてしまい、これにより生じた摩擦が両陰唇による挟持力を上回り、陰唇間パッドが脱落するおそれがある。また、短手方向の長さ寸法が１０ｍｍより短い場合には、陰唇間に介在できる領域が少なくなるため陰唇内面との接触面積が減少し、陰唇間パッドの脱落の危険性が生じやすくなる。なお、上記の「見かけ」とは、長さ寸法が最短の２点間距離（第２６図のＶに該当）を意味する。これは、製造工程との関係で、凹凸形状を辿った２点間の道のり、すなわち、凹凸形状を展開したフラットな状態での２点間距離を実際の長さ（第２６図のＷに該当）として取り扱う場合があるため、入念に定義したものである。
【０１０３】
陰唇間パッドに内包される吸収体の寸法は、陰唇間パッドと同等、又は、周縁部の強さを考慮して、外輪郭から間隔をあけて２〜１０ｍｍ縮小した寸法で設けられる。また、吸収体の厚みは、着用感を阻害しない良好な快適感を得るため、２〜１０ｍｍの範囲、好適には３〜６ｍｍの範囲とするのがよい。
【０１０４】
ミニシート片の陰唇間パッドの長手方向に対する長さ寸法は任意に調整することが可能であり、特に限定されるものではないが、指挿入用口を形成するものである場合には、かかる指挿入用口に指を挿入して指先に陰唇間パッドを保持でき、かつ、指の挿入方向を明らかにすることができるようにするのが好ましい。具体的には、少なくとも１０ｍｍ以上の長さを有し、操作性をも考慮した場合には、１０〜４０ｍｍの範囲で設けるのが好ましい。
【０１０５】
１つのフラップ部の寸法、具体的には陰唇間パッドの側縁であるフラップ部の基底部から最側縁までの最長寸法は、特に限定されるものではないが、少なくとも１５ｍｍ以上、操作性をも考慮した場合には、１５〜５０ｍｍの範囲とするのが好ましい。また、フラップ部の面積は、粘着剤の塗布面積が少なくとも５ｍｍ四方の確保される範囲で設けるのが好ましい。
【０１０６】
［フラップ部付き陰唇間パッドの構成材料］
＜透水性シート＞
陰唇間パッドの身体側に配置される透水性のシートには、液親水性であり、肌に刺激を与えない材料が使用される。このようなものとしては、メルトブローン、スパンボンド、ポイントボンド、スルーエアー、ポイントボンド、ニードルパンチ、湿式、湿式スパンレース、フォームフィルム等の製造方法から得られる不織布を単独又はこれらを複合した材料が挙げられる。
【０１０７】
繊維状シートとしては、レーヨン、アセテート、コットン、パルプ又は合成樹脂を成分としたものを単独又は芯鞘構造を成すように複合したものを単独又は混合した繊維をシート化したものが挙げられる。
【０１０８】
このような材料のうち、陰唇内面からの液移動性や活性剤による化学的刺激及び陰唇内壁との密接性を考慮すると、身体面側には繊度１．１〜４．４ｄｔｅｘ、繊維長７〜５１ｍｍからなるレーヨンを合計目付に対して４０〜８０％を積層、その衣服面側には繊度１．１〜４．４ｄｔｅｘ、繊維長７〜５１ｍｍからなり合計目付に対して１４〜４２％のレーヨンと繊度１．１〜４．４ｄｔｅｘ、繊維長７〜５１ｍｍからなり合計目付に対して６〜１８％のＰＥＴを混合して積層し、２層の合計目付が２０〜６０ｇ／ｍ２となるよう積層した後、水流交絡により繊維同士を絡合させて乾燥させ、厚みを０．１３〜０．５０ｍｍの範囲で調整したスパンレース不織布が好ましい。この際、衣服面側にＰＥＴを混入する事により、透水性シートが湿潤状態になっても嵩を維持しやすいため陰唇内壁との密接性を保つことができる。
【０１０９】
＜吸収体＞
陰唇間パッドに内包される吸収体に用いられる材料としては、パルプ、化学パルプ、レーヨン、アセテート、天然コットン、高分子吸収体、繊維状高分子吸収体、合成繊維を単独又はこれらを混合した物が使用できる。所要に配合した混合物をエンボス加工による圧着、ニードリングによる絡合などの公知技術によりシート化させ、必要に応じて嵩を調整する、重ねる、折り重ねる等により適宜調整することができる。
シート状の材料としては、これらをシート状若しくは粉状に加工して使用してもよく、使用方法に限定されるものではない。
【０１１０】
吸収体は、液体（体液）の吸収保持が可能であればよいが、嵩高であり、型崩れし難く、化学的刺激が少ないもので、さらには陰唇への適合が高い柔軟性を有することが好ましい。具体的には、衣服面側には、繊維長１〜１０ｍｍの範囲から選ばれるパルプを５０〜１５０ｇ／ｍ２積層し、その身体面側には、繊度１．１〜４．４ｄｔｅｘ、繊維長２０〜５１ｍｍの範囲から選ばれるレーヨンを６０〜９０％、天然コットンを４０〜１０％の混合比で１５０〜２５０ｇ／ｍ２積層してドット状のエンボス加工によりシート化させた、嵩２〜１０ｍｍ、好ましくは３〜５ｍｍに調整した不織布シートが挙げられる。これにより、身体面側から衣服面側へ液体を移行させやすく、吸収保持力が高まる。さらには、上記パルプ層の身体面側には繊度１．１〜４．４ｄｔｅｘ、繊維長２５〜５１ｍｍからなるレーヨンを目付１５〜４０ｇ／ｍ２に調整したメッシュスパンレース不織布を敷設する事により、身体面側から移行してきた液体をメッシュスパンレースにより拡散させ、パルプ層のほぼ全域に液体を誘導させる事ができるので、効率良くより多くの液体を吸収する事が可能である。
【０１１１】
＜不透水性シート＞
陰唇間パッドに使用される不透水性のシートの材料としては、吸収体に保持された経血が陰唇間パッドの外へ漏れ出すことを防止できるものを使用することができる。また、透湿性素材とすることにより、装着時のムレを低減させることができ、装着時における不快感を低減させることが可能となる。
【０１１２】
このような材料としては、例えば、合成樹脂を膜化したシート状フィルム、無機フィラーを充填させて延伸処理を施すことにより得られる通気フィルム、紙、不織布とフィルムを複合したラミネート物、１０〜３０％の開孔を有し孔径が０．１〜０．６ｍｍの範囲で毛細管を吸収性体側に向かうように配置することにより得られる通気性液遮断シート、等を使用することができる。
【０１１３】
更に、装着感を損なわない柔軟性を考慮した場合には、例えば、密度が０．９００〜０．９２５ｇ／ｃｍ３の密度の低密度ポリエチレン（ＬＤＰＥ）樹脂を主体とした目付１５〜３０ｇ／ｍ２の範囲から得られるフィルムを使用することが好ましい。更に、装着感を損なわない柔軟性を考慮した場合には、例えば、密度が０．９００〜０．９２５ｇ／ｃｍ３の密度の低密度ポリエチレン（ＬＤＰＥ）樹脂を主体とした目付１５〜３０ｇ／ｍ２の範囲から得られるフィルムを使用することが好ましい。さらに好ましくは、陰唇間に装着されている際に、不透水性シート同士、または併用するパッド、下着などに接触した時に、摩擦が高く陰唇間パッドが陰唇から脱落してしまう危険性を低下させるために、上記フィルムにエンボス加工をし、凸状の隆起部を設ける事で、接触率を低下させ摩擦抵抗値を少なくさせてあっても良い。
【０１１４】
＜フラップ部・ミニシート片（一部をフラップ部とするものも含む）＞
フラップ部やミニシート片には、上述した透水性シートや不透水性シートと同様の材料を用いることもできるが、フラップ部には伸縮性を有するものを使用するのが好ましい。
【０１１５】
元来伸縮性を有する材料としては、例えば、ＳＥＢＳ、ＳＩＳ、ウレタン等の合成ゴム、０．８８〜０．９００ｇ／ｃｍ３の密度から選ばれる非晶性オレフィン系樹脂を原料としたフィルム、開孔フォームフィルム、ネット等が挙げられる。また、織布又は織布に合成ゴムを原料とした紡糸フィラメントを編み込んだ生地も使用できる。更に、合成ゴムを主体としたスパンボンド不織布やメルトブローン不織布、発泡フォームシートも使用することができる。
【０１１６】
着用中の柔軟な風合いを考慮した上で好適なものとしては、１５〜４０ミクロンの厚みに調整され、孔部面積が０．２８〜１．７７ｍｍ２、開孔率が４０〜７０％の範囲で構成された、ＳＥＢＳを原料とした開孔フォームフィルムが挙げられる。
【０１１７】
不織布としては、芯成分が高融点で鞘成分が低融点成分で構成された熱収縮性を有するＰＥ／ＰＰ、ＰＥ／ＰＥＴ、ＰＰ／ＰＰ等の複合合成繊維を原材料とし、水流圧により繊維を交絡せしめたスパンレース不織布、再熱風処理を施して繊維のシュリンクを促進させたシュリンクタイプ不織布、連続長繊維を熱シールによりシート化した後に縦方向へ強制的にテンタリングを施したいわゆる伸長性スパンボンド等が挙げられる。
【０１１８】
より具体的には、太さが１．１〜４．４ｄｔｅｘの範囲で、長さが７〜５１ｍｍの範囲で、芯成分が高融点で鞘成分が低融点成分で構成された熱収縮性を有するＰＥ／ＰＰ、ＰＥ／ＰＥＴ、ＰＰ／ＰＰ等の複合合成繊維を原材料とし、目付が１０〜６０ｇ／ｍ２の範囲に調整されたシュリンクタイプ不織布が、柔軟でドレープ感に富んだ好適な材料として挙げられる。そしてまた、上述のような材料のラミネート物も使用することができる。
【０１１９】
非伸長性の材料に伸長性を付与して使用する場合には、不織布からは芯成分が高融点で鞘成分が低融点成分で構成された熱収縮性を有するＰＥ／ＰＰ、ＰＥ／ＰＥＴ、ＰＰ／ＰＰ等の複合合成繊維を原材料とし、熱風により処理された嵩高感に富むスルーエアー不織布、水流圧により繊維を交絡せしめたスパンレース不織布、連続繊維を積層してシート化したスパンボンド不織布、ニードルにより繊維同士を絡ませたニードルパンチ不織布、スパンボンドとメルトブローンを多層に積層してシート化したＳＭＳ不織布のほか、開孔フォームフィルム、ＰＥ樹脂を主成分としたフィルム等を単独又はこれらを複合して成る材料が挙げられる。
【０１２０】
また、上述のような材料を雄雌の金型の間に嵌合させ、熱と温度と圧力により形状を型押しするコルゲート加工により伸長性を付与することも可能である。より具体的には、太さが１．１〜４．４ｄｔｅｘの範囲、目付が１０〜６０ｇ／ｍ２の範囲で調整された複合合成繊維を主体としたスルーエアー不織布を、横方向に伸長可能にコルゲート加工を施したものが挙げられる。コルゲート加工は少なくとも１０％以上の伸長性があり、より好ましくは２０〜５０％の範囲で伸長司能となるように雄雌の金型の配列が設けられたものであり、更に好ましくは３０％伸長時の荷重が０．０１〜０．０５Ｎ／２５ｍｍの範囲の挙動を有するものが望ましい（試験条件：テンシロン引張試験機にて、速度１００ｍｍ／ｍｉｎ、チャック間隔１００ｍｍ）。なお、伸長性を付与する他の方法としては、切れ目線、円状に切り抜く等の方法も使用できる。
【０１２１】
＜粘着剤＞
フラップ部に塗布される肌接着用の粘着剤として使用可能なものとしては、水性高分子、架橋剤、可塑剤、水分から成るゲル粘着剤等が挙げられる。より具体的には、水性高分子はゼラチン、ポリアクリル酸ソーダ、ポリビニルアルコール、カルボキシルメチルセルロース等が挙げられ、架橋剤としては塩化カルシウム、硫酸マグネシウムのような水溶性金属塩が一般的に使用され、可塑剤としてはグリセリン、ワックス、パラフィンなどが挙げられる。
【０１２２】
この他にも、感圧型ホットメルト粘着剤も粘着部を形成するための粘着剤として使用することができる。感圧型ホットメルト粘着剤は、ＳＩＳ、ＳＢＳ、ＳＥＢＳ、スチレン−エチレン・プロピレン−スチレンブロック共重合体（ＳＥＰＳ）のような合成ゴム樹脂を主たる成分とし、そこにテルペン樹脂、ロジン樹脂などの粘着付与剤とワックス等の可塑剤を溶融混合することによって得られる。
【０１２３】
更には、シリコーン樹脂系粘着剤も使用することが可能である。シリコーン樹脂系粘着剤としては、シリコーン樹脂、フッ素樹脂を主たる成分とし、白金、モリブデン、アンチモン等の金属塩等の架橋剤、エステル系ワックス、グリセリン、マシンオイル等の可塑剤を混合して成る混合物などが挙げられる。
【０１２４】
このように粘着部を形成するための粘着剤は多種類存在するが、塗布安定性を考慮すると、感圧型ホットメルト粘着剤を用いることが好ましい。塗布安定性が高い感圧型ホットメルト粘着剤としては、ＳＥＢＳを１５〜２５質量％、可塑剤を１５〜３５質量％、粘着付与剤を４０〜７０質量％で溶融混合したものが挙げられる。この感圧型ホットメルト粘着剤については、酸化防止剤、蛍光防止剤などを０．１〜１．０質量％の範囲で添加してもよい。
【０１２５】
なお、粘着部については、一般に剥離紙として用いられている薄葉紙にシリコーン樹脂をコーティングして成るシート、又はプラスチックフィルムにシリコーン樹脂をコーティングして成るシートで被覆しておくことが好ましい。こうすることにより、保管時における粘着部の汚損や剥離を防止し得る。
【０１２６】
［生分解性・水分散性・水溶性を付与した陰唇間パッドの構成］
本発明のフラップ部付き陰唇間パッドは生分解性素材及び／又は水分散性素材及び／又は水溶性素材で構成されていることが好ましい。このようなフラップ部付き陰唇間パッドは使用後そのままトイレに脱落させて流すことができるため、パッドの破棄を簡便かつ清潔に行なうことができ、トイレ内のゴミの低減を図ることもできるからである。
【０１２７】
本明細書において、「生分解性」とは、放線菌をはじめとする細菌、その他の微生物の存在下、自然界のプロセスに従って、嫌気性又は好気性条件下で物質が二酸化炭素又はメタン等のガス、水及びバイオマスに分解されることをいい、当該物質の生分解能（生分解速度、生分解度など）が、落ち葉等の自然に生じる材料、もしくは同一環境下で生分解性として一般に認識される合成ポリマーに匹敵することをいう。「水分散性」とは、水解性と同じ意味であって、使用時の限定された量の水分（経血）では影響はないものの、多量の水又は水流中では、繊維同士が、少なくとも一般のトイレ配管を詰まらせることがない程度の小断片に容易に分散される性質のことをいう。「水溶性」とは、使用時の限定された量の水分（経血）では影響はないものの、多量の水又は水流中においては溶解する性質のことをいう。
【０１２８】
＜透水性シート＞
透水性シートに使用できる材料としては、スパンレース不織布のほか、繊維長を１〜１５ｍｍの範囲から選択される湿式スパンレース不織布を使用することができる。他の材料としては、ポリ乳酸、ポリブチレンサクシネートなどの加水分解による生分解性樹脂も使用することができる。例えば、ポリ乳酸を原料として作られる目付が２０〜６０ｇ／ｍ２の範囲で調整されたメルトブローン不織布や目付が１５〜３０ｇ／ｍ２の範囲、繊維太さが１．１〜３．３ｄｔｅｘの範囲で調整されたスパンボンド不織布が挙げられる。なお、各不織布材料には開孔処理を施しても施さなくてもどちらでもよい。
他の材料としてはアセテート、合成繊維を単独又は積層体の連続繊維であるトウを目付５０〜３００ｇ／ｍ２の範囲に調整し、繊維同士を解繊することにより使用することもできる。
【０１２９】
＜吸収体＞
吸収体に使用できる材料としては、ニードリングから得られる不織布シートを使用することができる。なお、高分子吸収材料の生分解性等を考慮すると、カルボキシルセルロース繊維を使用するのが好ましい。
【０１３０】
＜不透水性シート＞
不透水性のシートに使用できる材料としては、ＰＶＡフィルム、ＰＶＡフィルムの片面若しくは両面あるいは部分的にシリコーンなどにより撥水処理を施したフィルムシート、シリコーンを混合したＰＶＡフィルム、澱粉フィルム、ポリ乳酸又はポリブチルサクシネート等の加水分解による生分解性樹脂を原料としたフィルム及びティッシュ等とのラミネート紙を使用することができる。必要に応じて無機顔料を０．１〜５％の範囲で混合して着色を施してもよい。
【０１３１】
過湿下における防漏性の維持と浄化層への過度な負荷を与えないこと等をも考慮した場合には、ポリ乳酸を原料としたフィルムを１０〜２０ミクロンの厚み範囲で目付１５〜２０ｇ／ｍ２の範囲から選ばれるティッシュとラミネートし、更にラミネート時の貼り合せ面積率を５〜４０％の範囲で設けられたラミネート紙が好適である。
【０１３２】
＜フラップ部・ミニシート片（一部をフラップ部とするものも含む）＞
フラップ部やミニシート片に使用できる材料としては、ポリ乳酸、ポリブチルサクシネート等の生分解性材料を原料としたフィルム、スパンボンド不織布、メルトブローン不織布等、又はＰＶＡ、ＣＭＣ等の水溶性材料を原料としたフィルム、不織布等、並びにセルロース繊維、再生セルロース繊維等を主体とした水分散性ティッシュ、スパンレース不織布等が挙げられる。
【０１３３】
好適には、生分解性材料を主体としたスパンボンド不織布又はメルトブローン不織布であって、太さが０．１〜３．３ｄｔｅｘの範囲、目付が１５〜４０ｇ／ｍ２の範囲に調整されたシートであって、前途した機械的コルゲート加工を施すことにより得られる。
【０１３４】
＜接合方法＞
接合方法としては、水溶性又は水膨潤性を有するポリビニルアルコール等による接着、ヒートシール、或いは水素結合による接合、等の接合方法を単独で若しくは適宜組み合わせて用いることができる。
【０１３５】
［包装体］
次に、本発明に係るフラップ部付き陰唇間パッドを個別包装形態について説明をする。
＜包装形態＞
フラップ部付き陰唇間パッドを包装容器に内包する形態としては、第１実施形態及び第２実施形態において示されるように、包装用シートを三つ折り状とするほか、包装用シートを二つ折り状としたり、複数の包装用シートを貼り合わすことにより形成することもできる。第２１図は、包装用シート９８を二つ折り状として形成した包装容器９０にフラップ部付き陰唇間パッド９１を内包して包装体９００を形成する過程を示す工程図であり、第２２図は、第２１図の（Ｃ）のＣ−Ｃ視断面図であり、第２３図は、包装容器９０が開封された状態を示す図であり、第２４図は、破断線により開封できる包装容器１００を示す図であり、第２５図は、２枚の包装用シートから成る包装容器１１０を示す図である。
【０１３６】
第２１図の（Ａ）に示すように、フラップ部付き陰唇間パッド９１を陰唇間パッド９２の左右側縁が重なるようにして縦軸に沿って折り畳む。この場合において、ミニシート片９３が取り付けられている反身体側面９２ｂが、内側となるようにする。次に、同図の（Ｂ）に示すように、折り畳んだフラップ部付き陰唇間パッド９１をタブ９５が取り付けられた包装用シート９８の右側に配置する。この場合において、フラップ部９４Ａの反対側にあるフラップ部９４Ｂに塗布されている粘着剤９６Ｂは、剥離シート９７Ｂ上に位置するようにする。これにより、陰唇間パッド９１が包装用シート９８に再剥離可能に取り付けられていることになる。そして、包装用シート９８の縦軸を中心としてこれを半分に折り、フラップ部付き陰唇間パッド９１を被覆する。
【０１３７】
次に、同図の（Ｃ）に示すように、包装用シート９８の周辺が重なり合う重畳部に熱シールで接合した接合部９８ａ、９８ｂ、９８ｃを設け、これらをそれぞれ接合することにより包装体９００とする。この接合部９８ａ、９８ｂ、９８ｃの接合強度は、操作中の破損を防止するため、テンシロン引張試験機で速度１００ｍｍ／ｍｉｎで測定された剥離強度が、０．０３〜０．２Ｎ／２５ｍｍの範囲となるように、熱シールにより調整するのが好ましい。
【０１３８】
なお、この場合において、タブ９５は接合しないようにする。このタブ９５は包装容器９０の開封位置を着用者に示すと共に、開封を容易とするものであるため、２つのタブ９５を接合しないことにより、着用者はこのタブ９５を摘んでそれらを互いに反対の方向へ引っ張るだけで、容易に包装容器９０を開封することができる。
【０１３９】
包装体９００の内部構造は、第２２図に示すように、開封口となる接合部９８ｂと対向する位置にミニシート片９３が配置されている。このため、第２３図に示すように、開封するとすぐミニシート片９３が露出され、着用者は包装用シート９８を裏返したりすることなく即座に指挿入用口９３Ａを視認することができ、迅速にそこへ指を挿入することができる。
【０１４０】
包装容器は上述のように熱シール等の接合部を剥がすように構成して開封できるようにするほか、接合部の内縁側にミシン目のような破断線を設け、これに沿って包装容器の一部を破くようにして開封できるようにすることもできる。例えば、第２４図に示すように、接合部１０８ａ、１０８ｂ、１０８ｃより内側に破断線１０５を設けた場合には、この破断線１０５に沿って包装容器１００の端部を切り取っていくことにより、包装容器１００を開封することができる。
【０１４１】
また、第２５図に示す包装容器１１０のように、包装用シートを１１０Ａと１１０Ｂの２枚とし、この間にフラップ部付き陰唇間パッド（図示せず）を挟むように配置してから、包装用シート１１０Ａと１１０Ｂを４つの接合部１１８ａ、１１８ｂ、１１８ｃ、１１８ｄにより接合して両者を貼り合わせるようにすることもできる。この場合において、破断線１１５は、接合部１１８ａ、１１８ｂ、１１８ｃの内側に設けられる。
【０１４２】
このような破断線は、引き裂き時の方向性を確実に誘導し、ゴミなどの進入を防止するものとするのが好ましい。具体的には、引き裂き部を長さ０．５〜５ｍｍで幅は最大３ｍｍとし、非引き裂き部を長さ０．５〜３ｍｍとするのが好適である。なお、操作の誤認を低減させるため、接合部は解除困難となる程に接合強度を高めておくのが好ましい。
【０１４３】
破断線の位置は、少なくとも包装容器の縦方向の片側端縁から開始されていれば、もう片方の端縁まで連結していても、片側端縁から中間付近までしか設けられてなくても構わない。横方向における破断強度は、引張条件を２５ｍｍ幅、１００ｍｍ／分とした場合に、０．０５〜１．５Ｎ／２５ｍｍ、より好適には０．１〜１．０Ｎ／２５ｍｍの範囲とするのが好ましい。
【０１４４】
また、破断線の開始位置を着用者が容易に確認できるように、開始位置に矢印などをプリントする、開始位置近傍に終了位置とは異なるカット（例えば端部を丸くする等）を施す、包装容器を破断部の開始方向に向かって徐々に幅広く形成して着用者が幅狭く形成された側を握るようを仕向ける、等の処置を施すこともできる。
【０１４５】
＜包装容器の材料＞
包装容器に使用される包装用シートには、公知の物を用いることができる。例えば、厚さ１５〜６０ミクロンのポリエチレン、ポリプロピレン、ポリエステル、ポリビニルアルコール、ポリ乳酸、ポリブチレンサクシネート、或いは不織布、紙、及びこれらのラミネート材料が挙げられる。
【０１４６】
より具体的には、ゴミや塵などが混入しにくい密閉性と包装形態の保持性を考慮したうえで、スパンボンド・メルトブローン・スパンボンドが６〜１０ｇ／ｍ２・５〜２０ｇ／ｍ２・６〜１０ｇ／ｍ２重量で構成される複合不織布、又は密度０．９〜０．９２５ｇ／ｃｍ３の範囲から選ばれるＬＤＰＥを主成分とした厚さが１５〜３０ミクロンに調整されたフィルム等を使用できる。
【０１４７】
生分解性・水分散性・水溶性を有するようにする場合には、合成樹脂組成を生分解性或いは水溶性であるポリ乳酸、ポリブチルサクシネート、ポリビニルアルコール等の組成を換えることにより可能である。
【０１４８】
［使用方法の情報提供］
本発明に係るフラップ部付き陰唇間パッドについては、その装着方法を誤ってしまうことを防止するために、その使用方法の情報を着用者に提供するのが好ましい。
【０１４９】
ここで、着用者がフラップ部付き陰唇間パッドの装着方法を誤ってしまう場合としては、例えば、陰裂に対して陰唇間パッドを横向きに装着しようとする場合、陰唇間パッドをタンポンのように膣口に対して縦に陰唇間パッドを挿入しようとする場合、陰唇間パッドの表裏を逆に装着してしまう場合、陰唇間パッドを陰唇内に嵌合させることなく併用する生理用ナプキンの表面に載せるようにして配置してしまう場合、などが挙げられる。このような場合には、着用感を著しく害したり、過度に経血のモレを誘発したり、着用者の内股から陰唇間パッドが脱落してしまったりするおそれがある。
【０１５０】
このような誤装着を防止するために、本発明に係るフラップ部付き陰唇間パッドについては、着用者に対してその使用方法を正しく伝えて効果を十分発揮させるようにし、また速やかに着用操作を行なうことができるように、その操作方法が着用者に明確に示されるのが好ましい。
【０１５１】
使用方法に関する情報を着用者に伝える方法としては、パッケージングの中に説明書を封入する、個別包装容器の表面に使用方法を印刷する、提携雑誌に商品説明と共に使用方法を提示する、インターネットのホームページに使用方法を提示する、店頭の陳列棚に合わせて使用方法を提示する、サンプリングの商品包装内に説明書を封入する、女性用トイレ内に説明書をポスティングする、お客様相談室にて口頭で説明する、等の方法が挙げられる。このような、方法のうち、好ましいものとしては、着用者が使用する度に確認できるようなものであり、パッケージングの中に説明書を封入する、又は個別包装容器に印刷を施す方法が挙げられる。
【０１５２】
産業上の利用の可能性
以上のような本発明によれば、陰唇間パッド側縁に設けられたフラップ部を陰唇間パッド装着時に大陰唇に貼り付けることができる。このため、多量の体液を陰唇内に嵌合する陰唇間パッドが受け止めた場合でも、かかる陰唇間パッドが位置ズレを起こすことなく装着当初の位置に留まることができる。これにより、陰唇と陰唇間パッドの間に生じる隙間の発生を防ぎ、体液のモレの発生を防止することができる。
【図面の簡単な説明】
【０１５３】
第１図は、第１実施形態のフラップ部付き陰唇間パッドの身体側を示す概略斜視図である。
第２図は、第１実施形態のフラップ部付き陰唇間パッドの反身体側を示す図である。
第３図は、第１図のＡ−Ａ視断面を示す図である。
第４図は、第１実施形態のフラップ部付き陰唇間パッドの他の構成を示す図である。
第５図は、包装容器を開封して第１実施形態のフラップ部付き陰唇間パッドを指先に取り付けるまでの手順を示す工程図である。
第６図は、第１実施形態のフラップ部付き陰唇間パッドを指先に保持して陰唇間に装着する手順を示す工程図である。
第７図は、第１実施形態のフラップ部付き陰唇間パッドを包装用シートで被覆し、包装体とする過程について説明する工程図である。
第８図は、第７図の（Ｄ）に示される包装体のＢ−Ｂ視断面を示す図である。
第９図は、第２実施形態のフラップ部付き陰唇間パッドの身体側面を示す図である。
第１０図は、第２実施形態のフラップ部付き陰唇間パッドの反身体側面を示す図である。
第１１図は、第２実施形態のフラップ部付き陰唇間パッドの斜視図である。
第１２図は、第９図のＣ−Ｃ視断面を示す図であって、第２実施形態のフラップ部付き陰唇間パッドの内部構造を示す断面図である。
第１３図は、第２実施形態のフラップ部付き陰唇間パッドを陰唇に装着する手順を示す工程図である。
第１４図は、第２実施形態のフラップ部付き陰唇間パッドが陰唇に装着された状態を示す断面図である。
第１５図は、陰唇間パッドの一部でフラップ部を形成する状態を示す断面図である。
第１６図は、フラップ部の他の構成を示す図である。
第１７図は、中央域を盛り上げた中高構造の吸収体を内包する陰唇間パッドを示す図である。
第１８図は、短手方向の長さ寸法が異なる２つのシートを重ね合わせて成る陰唇間パッドを示す図である。
第１９図は、メインシート体とサブシート体との二層からなる陰唇間パッドを示す図である。
第２０図は、フラップ部付き陰唇間パッドを生理用ナプキンと併用して使用する状態を示す図である。
第２１図は、包装用シートを二つ折り状として形成した包装容器にフラップ部付き陰唇間パッドを内包して包装体を形成する過程を示す工程図である。
第２２図は、第２１図の（Ｃ）の包装体のＤ−Ｄ視断面を示す図である。
第２３図は、第２１図の（Ｃ）の包装体を開封した状態を示す図である。
第２４図は、破断線により開封できる包装容器を示す図である。
第２５図は、２枚の包装用シートから成る包装容器を示す図である。
第２６図は、陰唇間パッドの短手方向における長さ寸法を説明するための説明図である。
第２７図は、従来例の陰唇間パッドを示す図である。
【図１】
0004178045.tif 000002
【図２】
0004178045.tif 000003
【図３】
0004178045.tif 000004
【図４】
0004178045.tif 000005
【図５】
0004178045.tif 000006
【図６】
0004178045.tif 000007
【図７】
0004178045.tif 000008
【図８】
0004178045.tif 000009
【図９】
0004178045.tif 000010
【図１０】
0004178045.tif 000011
【図１１】
0004178045.tif 000012
【図１２】
0004178045.tif 000013
【図１３】
0004178045.tif 000014
【図１４】
0004178045.tif 000015
【図１５】
0004178045.tif 000016
【図１６】
0004178045.tif 000017
【図１７】
0004178045.tif 000018
【図１８】
0004178045.tif 000019
【図１９】
0004178045.tif 000020
【図２０】
0004178045.tif 000021
【図２１】
0004178045.tif 000022
【図２２】
0004178045.tif 000023
【図２３】
0004178045.tif 000024
【図２４】
0004178045.tif 000025
【図２５】
0004178045.tif 000026
【図２６】
0004178045.tif 000027
【図２７】
0004178045.tif 000028